(57)【要約】【課題】従来の方法では、ワイドパンツ、バギーパンツ、ガウチョパンツ等の幅の広いズボンを履いている状態でトイレの際にズボンの裾がトイレの床に付かないようにするのが難しかった。【解決手段】両端を有する渦巻き状のバネに生地の滑り止め機能を備えたことを最も主要な特徴とするズボン用留め具を使用することで、ズボンの生地を一定の箇所で容易に固定でき、ズボンの裾が床に付かなくすることができるズボン用留め具を提供する。【選択図】図２
2019157295.tif 000002
【特許請求の範囲】
【請求項１】
膝上に装着されて使用されるズボン用留め具であって、両端を有する渦巻き状のバネを含むズボン用留め具。
【請求項２】
前記バネが複数の渦巻き状の線バネを含む、請求項1に記載のズボン用留め具。
【請求項３】
前記バネがお互いに接続された線バネを含み、前記線バネの接続部が前記線バネの端部に設けられており、前記接続部が前記線バネから径方向外方に退避している請求項２に記載のズボン用留め具。
【請求項４】
前記バネが渦巻き状の板バネを含む請求項1に記載のズボン用留め具。
【請求項５】
前記バネを覆う渦巻き状の弾性素材を用いて形成される被覆素材をさらに含む請求項１〜４のいずれか一項に記載のズボン用留め具。
【請求項６】
前記弾性素材が、内周面の摩擦係数が、外周面の摩擦係数よりも大きくなるように設けられている請求項５に記載のズボン用留め具。                                      
【請求項７】
前記弾性素材の内側には、複数の突起が形成されている。請求項５または６に記載のズボン用留め具。
【発明の詳細な説明】
【技術分野】
【０００１】
本発明は、ワイドパンツ、バギーパンツ、ガウチョパンツ等の幅の広いズボンを履いている状態でトイレの際に、ズボンの裾がトイレの床に付かないようにする為に用いるズボン用留め具に関するものである。
【背景技術】
【０００２】
従来は、ワイドパンツ、バギーパンツ、ガウチョパンツ等の幅の広いズボンを履いている状態でトイレ時の際に、ズボンの裾がトイレの床に付かないようにするためには、ウエスト部から裾側に向かってズボンの生地をロール状に巻き込んでいく方法が一般的である。しかし生地によっては、巻き込んだ生地が滑り落ちて床に付いてしまったり、しわになったりするおそれがあった。また、膝頭でズボンの裾を挟むことも考えられるが、この方法では床に付かないようにすることが至難であった。
【０００３】
また、下記非特許文献１に示すように前もって足首にゴム輪を通しておき、ト    
イレ時の際に、そのゴムでズボンの裾を留めるというアイディアも存在する。しかし前もって装着しておく必要があり、しわになるので実行しにくい等の問題があった。
【０００４】
下記特許文献２〜４にはズボンの一部を留め具によって足に固定する手法が記載されている。しかしながら、これらの手法ではズボンの生地を縛るので、生地がしわになるという問題があった。
【先行技術文献】
【特許文献】
【０００５】
【特許文献１】実開平０６−０２２３２５号公報
【特許文献２】実開平０６−０１６４２９号公報
【特許文献３】実登３２０５９５３号公報
【特許文献４】実登３１１２９６６号公報
【非特許文献】
【０００６】
【非特許文献１】インターネット記事  ガウチョパンツのときのトイレってみんなどうしているのhttps://matome.naver.jp/odai/2146909556491624301
【発明の概要】
【発明が解決しようとする課題】
【０００７】
そこで、この発明はズボンがしわになることを抑制しながら、トイレの際にズボンの裾が汚れることを防止できるズボン用留め具を提案することである。
【課題を解決するための手段】
【０００８】
請求項１に記載の発明は、膝上に装着されて使用されるズボン用留め具であっ
て、両端を有する渦巻き状のバネを含むズボン用留め具である。
【０００９】
また、請求項２に記載の発明は、前記バネが複数の渦巻き状の線バネを含む、請求項1に記載のズボン用留め具である。
【００１０】
また、請求項３に記載の発明は、前記バネがお互いに接続された複数の前記線バネを含み、前記線バネの接続部が前記線バネの端部に設けられており、前記接続部が前記線バネから径方向外方に退避している。請求項２に記載のズボン用留め具である。
【００１１】
また、請求項４に記載の発明は、前記バネが複数の渦巻き状の板バネを含む、請求項1に記載のズボン用留め具である。
【００１２】
また、請求項５に記載の発明は、前記バネを覆う渦巻き状の、弾性素材を用いて形成される被覆素材をさらに含む、請求項１〜４のいずれか一項に記載のズボン用留め具である。
【００１３】
また、請求項６に記載の発明は、前記弾性素材が、内周面の摩擦係数が、外周面の摩擦係数よりも大きくなるように設けられている、請求項５に記載のズボン用留め具である。
【００１４】
また、請求項７に記載の発明は、前記弾性素材の内側には、複数の突起が形成されている。請求項５または６に記載のズボン用留め具である。
【発明の効果】
【００１５】
従来の方法では、ズボンを固定する際にズボンの生地がしわになり易いという問題がある。本発明のズボン用留め具は、ワイドパンツ、バギーパンツ、ガウチョパンツ等幅の広いズボンの生地を希望の箇所で簡単に固定でき、裾がしわにならないという利点がある。
【図面の簡単な説明】
【００１６】
【図１】第１の実施形態に係るズボン用留め具の使用状態を示す図である。
【図２】第１の実施形態に係るズボン用留め具の使用状態を示す図である。
【図３】第１の実施形態に係るズボン用留め具の使用状態を示す図である。
【図４】第１の実施形態に係るズボン用留め具の斜視図である。
【図５】図４を切断面線Ｖ−Ｖで切断した断面図である。
【図６】第１の実施形態に係るズボン用留め具の長手方向両端の変形例を示す斜視図である。
【図７】図６を切断面線ＶＩＩ−ＶＩＩで切断した断面図である。
【図８】第２の実施形態に係るズボン用留め具の斜視図である。
【図９】図８を切断面線ＩＸ−ＩＸで切断した断面図である。
【図１０】第３の実施形態に係るズボン用留め具の斜視図である。
【図１１】図１０を切断面線ＸＩ−ＸＩで切断した断面図である。
【図１２】第３の実施形態に係るズボン用留め具の横断面図である。
【図１３】第３の実施形態の変形例を、切断面線ＸＩ−ＸＩと同様の切断面線で切断した断面図である。
【発明を実施するための形態】
【００１７】
図１〜３は、第１の実施形態に係るズボン用留め具１の使用状態を示す図である。図１は、使用者が起立している状態、図２は洋式便座に使用者が着座している状態、図３は、和式便座に使用者が着座している状態をそれぞれ示す。図４は、ズボン用留め具１の斜視図である。図５は、図４を切断面Ｖ−Ｖで切断した断面図である。  
【００１８】
ズボン用留め具１は、使用者の膝上に装着されて使用される。ズボン用留め具
１は、両端を有する渦巻き状のバネ２１を含む。バネ２１は、複数(例えば２つ)の渦巻き状の線バネ２の両端同士を２つの接続部３によってお互いに接続することにより設けられている。複数の線バネ２は、お互いに同形状、同寸法である。
【００１９】
各線バネ２は、例えば金属製（例えばバネ鋼製）であり、渦巻き状で1回転以上の回転数を備えている。好ましくは１．３〜１．５回転である。バネ２１の一方側端部の径が、バネ２１の他方側端部の径よりも小径とされている。すなわち、バネ２１の一方側端部と
他方側端部との間で、バネ２１の中心からの径が異なっている。
【００２０】
トイレの際、洋式便座又は和式便座での使用に際し、ズボン用留め具１を使用する。具体的には、使用者は、ズボンを下ろす前に、起立状態で片方の手で一方の膝部分の生地をズボンの裾がふくらはぎぐらいまでになるように上に引き上げ、反対の手でズボン用留め具１を膝上部に装着できる程度に広げ、膝上部に装着する。その際、バネ２１の内周が外腿側に、バネ２１の外周が内腿側に装着することで、膝上部の使用時の形の変化にも対応できる。もう片方も同様に行う。
【００２１】
この実施形態によれば、幅の広いズボンの生地を希望の箇所で簡単に固定でき
る。これにより、ズボンの生地がしわになりにくいという利点がある。特に幅が広いデザインのズボンや、レーヨンなどのシワになり易い生地のズボンの場合、ズボン用留め具１を膝上部の後方側、又は内腿側から装着し、生地の余り部分を膝前方、又は膝外側に出すことで上部から装着するよりも、さらにしわになりにくい。
【００２２】
具体的には、洋式トイレでの使用の際は、膝上部の後方側から装着することで、膝裏のズボンの生地が便器の側面に当たらない。また、和式トイレでの使用の際は、ズボン用留め具１を膝上部の内腿側から装着することで、ズボン用留め具１の繋ぎ目が外側に向いているようになり、余った生地を膝の外側に出すことができるので前方の便器に当たらない。
【００２３】
ズボン用留め具１の内周側部分（一方側端部側の部分）と外周側部分（他方側端部側の部分）の弧の大きさが違うことで、(１)装着時の立っている時、(２)洋式トイレ使用時の約９０度に膝を曲げている時、(３)和式トイレ使用時の膝が約４５度に屈伸している状態の３パターンの膝上部の形の変化にも対応して、ズボン用留め具１の締まり具合を調整できる。
【００２４】
膝上の形状は個人差が有るので、ズボン用留め具１の内周側部分が腿の外側に位置し、かつズボン用留め具１の外周側部分が腿の内側に位置するように装着しても、逆にズボン用留め具１の内周側部分が腿の内側に位置し、かつズボン用留め具１の外周側部分が腿の外側に位置するように装着してもよい。
【００２５】
装着時の起立している時の膝上の円周に比べて、洋式トイレの使用時の膝を約９０度に曲げた時の膝上の円周は約１．５〜２．５cm大きく、和式トイレ使用時のしゃがんだ状態では、立っている時と比べて膝上の円周は約３〜６ｃｍ横に広がる。この伸縮にも対応できるグリップ性と収縮性とを持たせることができる。
【００２６】
また、膝上部で生地を固定するので、ズボンの上部ウエスト側の生地が床に着く危険性もなく、オーバーオールやサロペットなどの、上下つなぎの服にも応用することができる。
【００２７】
ズボン用留め具は、両端を有する渦巻き状のバネにすることで、装着時に余ったズボンの生地をリング外に出すことができるので、ズボンの生地がしわにならないで固定することができる。
【００２８】
図６は、第１の実施形態の変形例に係るズボン用留め具１０１の斜視図である。図７は、第１の実施形態の変形例に係るズボン用留め具１０１の断面図である。この変形例が、図１〜図５の実施形態と異なる点は、バネ２１の両端部に設けられた２つの接続部３が、その周囲の線バネ２よりも径方向外方に退避している点である。具体的には、バネ２１の両端部には、それぞれ径方向外方に向けて屈曲するアール状の退避部４が設けられており
、その外周部に接続部３が設けられている。これにより、使用時において、バネ２１の両端が使用者の足に食い込むことを抑制できる。
【００２９】
図１〜図７の実施形態において、バネ２１は、円弧状をなしているものに限られず、部分的に屈曲等されてもよい。
【００３０】
接続部３の形状は、バネ２１の両端と同じ形状であってもよいし、一端側が他端側と異なってもよい。
【００３１】
図８は、第２の実施形態に係るズボン用留め具５の斜視図である。図９は、図８を切断面線ＩＸ−ＩＸで切断した断面図である。ズボン用留め具５がズボン用留め具１と相違する点は、ズボン用留め具５が渦巻き状の板バネ６を含む点である。板バネ６は、例えばバネ鋼を用いて形成されており、渦巻き状で１回転以上の回転数を備えている。好ましくは、１．３〜１．５巻きである。
【００３２】
板バネ６の一方側端部の径が、板バネ６の他方側端部よりも小径とされている。すなわち、板バネ６の一方側端部と他方側端部とで、中心からの距離が異なっている。この第２の実施形態によれば、第１の実施形態と同様の作用効果を奏する。
【００３３】
図１０は、第３の実施形態に係るズボン用留め具１２の斜視図である。図１１は、図１０を切断面線ＸＩ−ＸＩで切断した断面図である。図１２は、第３の実施形態に係るズボン用留め具１２の横断面図である。
【００３４】
図３の実施形態に係るズボン用留め具１２は、バネ２とバネ２の両面を覆う渦巻き状の被覆部材２５とを含む。被覆部材２５は、弾性素材（例えば、シリコーン等の樹脂材料やゴム材料）を用いて形成されている。被覆部材は渦巻き状の板材であり、可撓制を有している。被覆部材２５の内周面８の摩擦係数が外周面９の摩擦係数よりも大きい。内周面には同方向に間隔を空けて複数の突条（突起）１０が形成されている。
【００３５】
ズボン用留め具１２の滑り止めとしての機能をさらに向上させ、尚且つ、生地
素材や使用者の膝上部のサイズに対して応用の幅を広げるために、ズボン用留め具本体の渦巻き状のバネをシリコーン又はゴム素材で覆っている。
【００３６】
ズボン用留め具１２の渦巻き状のバネ２１を覆っているのは、ビーズや塩化ビニール等の樹脂でも良い。この場合、ビーズや塩化ビニールがバネ２１に編み込まれた形態であってもよい。
【００３７】
ズボンの生地に対して滑り止めとして、摩擦係数の高いシリコーン、又はゴム素材を内側に配し、ズボン用留め具１２の装脱の操作性を高めるため、摩擦係数の低いシリコーン、又はゴム素材を外側に配した。
【００３８】
ズボン用留め具１２の重複部分のうち、外側部分３０の内周面には突条１０を設けていない。この外側部分３０の内周面にも突条１０を設けていると、この突条１０が内側部分３１と干渉してズボン用留め具１２の開閉操作性が悪くなるからである。  
【００３９】
以上本発明について説明したが、本発明は他の形態でも実施できる。第３の実施形態において、芯材（バネ２１）として、線バネ２に代えて第２の実施形態のような板バネ６を採用してもよい。また、第３の実施形態において、内周面８に突条１０を設けるとしたが、突条１０を省略してもよい。すなわち、内周面が円筒面であってもよい。
【００４０】
接合部３は、金属、樹脂、ゴム等の金属同士を固定出来るもので有ればよい。また、バネ２１か、３つ以上の線バネ２を備えていてもよい。なお、バネ２１は、金属に限られず弾性樹脂であってもよい。
【符号の説明】
【００４１】
１  ズボン用留め具
２  線バネ          
３  接続部
４  退避部
５  ズボン用留め具
６  板バネ
７  シリコーン又はゴム素材  
８  摩擦係数の高いシリコーン又はゴム素材
９  摩擦係数の低いシリコーン又はゴム素材
１０ シリコーン又はゴム素材の突条（突起）
１１  ガウチョパンツ
１２  ズボン用留め具
１４  ズボン用留め具
１０１  ズボン用留め具
【図１】
2019157295.tif 000003
【図２】
2019157295.tif 000004
【図３】
2019157295.tif 000005
【図４】
2019157295.tif 000006
【図５】
2019157295.tif 000007
【図６】
2019157295.tif 000008
【図７】
2019157295.tif 000009
【図８】
2019157295.tif 000010
【図９】
2019157295.tif 000011
【図１０】
2019157295.tif 000012
【図１１】
2019157295.tif 000013
【図１２】
2019157295.tif 000014
【図１３】
2019157295.tif 000015
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
膝上に装着されて使用されるズボン用留め具であって、両端を有する渦巻き状のバネがお互いに接続された複数の線バネを含み、前記線バネの接続部が前記線バネの端部に設けられ、前記接続部が前記線バネから径方向外方に退避しているズボン用留め具。
【請求項２】
前記バネを覆う渦巻き状の弾性素材を用いて形成される被覆素材をさらに含む請求項１に記載のズボン用留め具。
【請求項３】
前記弾性素材の内周面の摩擦係数が外周面の摩擦係数よりも大きくなるように設けられている請求項２に記載のズボン用留め具。
【請求項４】
前記弾性素材の内側に突起が形成されている請求項２または３に記載のズボン用留め具。
【請求項５】
膝上に装着されて使用されるズボン用留め具であって、両端を有する渦巻き状のバネであり、前記バネがお互いに接続された複数の渦巻き状の線バネを含み、前記線バネの接続部が前記線バネの端部に設けられ、バネを覆う渦巻き状の弾性素材を用いて形成される被覆素材をさらに含み、内周面の摩擦係数が外周面の摩擦係数よりも大きくなるように設けられ、最外端の内側の弾性素材以外の弾性素材の内側のみに突起が形成されているズボン用留め具。
【手続補正２】
【補正対象書類名】明細書
【補正対象項目名】０００８
【補正方法】変更
【補正の内容】
【０００８】
第一の発明は、膝上に装着されて使用されるズボン用留め具であって、両端を有する渦巻き状のバネを含むズボン用留め具である。
【手続補正３】
【補正対象書類名】明細書
【補正対象項目名】０００９
【補正方法】変更
【補正の内容】
【０００９】
第二の発明は、前記バネが複数の渦巻き状の線バネを含む、第一発明のズボン用留め具である。
【手続補正４】
【補正対象書類名】明細書
【補正対象項目名】００１０
【補正方法】変更
【補正の内容】
【００１０】
第三の発明は、前記バネがお互いに接続された複数の前記線バネを含み、前記線バネの接続部が前記線バネの端部に設けられており、前記接続部が前記線バネから径方向外方に退避している。第二発明のズボン用留め具である。
【手続補正５】
【補正対象書類名】明細書
【補正対象項目名】００１１
【補正方法】変更
【補正の内容】
【００１１】
第四の発明は、前記バネが複数の渦巻き状の板バネを含む、第一発明のズボン用留め具である。
【手続補正６】
【補正対象書類名】明細書
【補正対象項目名】００１２
【補正方法】変更
【補正の内容】
【００１２】
第五の発明は、前記バネを覆う渦巻き状の、弾性素材を用いて形成される被覆素材をさらに含む、第一発明〜第四発明のいずれか一項に記載のズボン用留め具である。
【手続補正７】
【補正対象書類名】明細書
【補正対象項目名】００１３
【補正方法】変更
【補正の内容】
【００１３】
第六の発明は、前記弾性素材が、内周面の摩擦係数が、外周面の摩擦係数よりも大きくなるように設けられている、第五発明に記載のズボン用留め具である。
【手続補正８】
【補正対象書類名】明細書
【補正対象項目名】００１４
【補正方法】変更
【補正の内容】
【００１４】
第七の発明は、前記弾性素材の内側には、突起が形成されている。第五または第六発明に記載のズボン用留め具である。
【手続補正９】
【補正対象書類名】明細書
【補正対象項目名】００３４
【補正方法】変更
【補正の内容】
【００３４】
図３の実施形態に係るズボン用留め具１２は、バネ２とバネ２の両面を覆う渦巻き状の被覆部材２５とを含む。被覆部材２５は、弾性素材（例えば、シリコーン等の樹脂材料やゴム材料）を用いて形成されている。被覆部材は渦巻き状の板材であり、可撓性を有している。被覆部材２５の内周面８の摩擦係数が外周面９の摩擦係数よりも大きい。内周面には同方向に間隔を空けて複数の突条（突起）１０が形成されている。